(57)【要約】【課題】  ヘッドを反転させることによって拭布の両面を清掃に使用することができ、かつ、上記ヘッドの反転操作が容易であると共に、該ヘッドを反転した２位置に係止させるための係止機構が簡単なハンディモップを得る。【解決手段】  両面が塵埃拭取用の払拭面１ａ，１ｂである拭布１と、該拭布内部の取付孔１２内に把手２０の先端のヘッド２１を差し込むことによって該拭布１を装着する構成のモップ本体２とからなり、上記ヘッド２１は、基端の連結部２３を把手２０の先端の取付部２２に軸線Ｌの回りで回転自在なるように連結され、上記連結部２３には、係止用の突子２７ａを備えた２つの係止弾片２７が設けられ、上記把手２０の取付部２２には、上記突子２７ａが係合する２つの係止孔２８が形成されていて、これらの突子２７ａと係止孔２８との弾力的な係合によって上記ヘッド２１が上下反転した２つの回転位置で把手２０に係止可能である。【選択図】        図１
2007044088.tif 000002
【特許請求の範囲】
【請求項１】
両面が塵埃拭取用の払拭面である拭布と、該拭布内部の取付孔内に先端のヘッドを差し込むことによって該拭布を装着するように構成されたモップ本体とからなり、
上記モップ本体は、握持用の把手と、基端の連結部が該把手先端の取付部に前後方向の軸線の回りで回転自在なるように連結された上記ヘッドとにより形成され、
上記ヘッドの連結部には、上記軸線を挟んで相反する位置に２つの係止弾片が設けられると共に、各係止弾片にそれぞれ係止用の突子が形成され、また、上記把手先端の取付部には、上記軸線を挟んで相反する位置に上記突子が係合する２つの係止孔が形成されていて、これらの突子と係止孔との弾力的な係合によって上記ヘッドが上下反転した２つの回転位置で把手に係止可能であることを特徴とするハンディモップ。
【請求項２】
上記把手における取付部の前端面が横長の平面に形成され、この前端面の左右両端部に上記係止孔が形成されており、
上記ヘッドの連結部は、横幅が上記把手前端面の横幅より短く形成されていて、該連結部の左右両側からは、該連結部よりも薄肉且つ細幅の平板状をした上記係止弾片が上記前端面に沿うように延出し、該前端面の端部の上記係止孔の位置まで延びていることを特徴とする請求項１に記載のハンディモップ。
【請求項３】
上記ヘッドが、二股状に分岐して前方に延出する左右２つの細長くかつ弾力性のある分岐アームを有することを特徴とする請求項１又は２に記載のハンディモップ。
【請求項４】
上記分岐アームが上下面方向に波付けされることにより、拭布の取付孔からの抜け出し抵抗が高められていることを特徴とする請求項３に記載のハンディモップ。
【請求項５】
上記分岐アームが、板面が上下方向を向く細幅の板状をなしていて、各分岐アームの周縁に上下両面側に突出する縁枠が形成されていることを特徴とする請求項３又は４に記載のハンディモップ。
【請求項６】
上記分岐アームが、先端側に向けて次第に幅狭をなすように形成されると共に、ヘッド全体が基端側から先端側に向けて次第に幅狭をなすように形成されていることを特徴とする請求項５に記載のハンディモップ。
【請求項７】
上記分岐アームの上下両面に、拭布の取付孔からの抜け出し抵抗を高めるための突起が形成されていることを特徴とする請求項３から６の何れかに記載のハンディモップ。
【発明の詳細な説明】
【技術分野】
【０００１】
本発明は、片手に持って清掃対象部位の塵埃の拭き取りを行うハンディモップに関するものである。
【背景技術】
【０００２】
この種のハンディモップとして、従来より、特許文献１に記載のものが知られている。このハンディモップは、塵埃を拭き取るための拭布と、この拭布を装着するためのモップ本体とからなるもので、該モップ本体の先端の二股状をした差込板を拭布の上面の挿入用隙間内に挿入することにより、この拭布をモップ本体に取り付け、その状態で清掃を行うものである。
拭布が汚れて清掃機能が低下すると、新たな拭布と交換することになるが、該拭布は片面しか使えないため、汚れのひどい部分を清掃する際には、短い周期で頻繁に拭布を交換しなければならず、効率が悪い。
【０００３】
一方、拭布の両面を清掃に使用する例として、特許文献２には、扁平なシート取付部材に筒状の払拭シートを被着し、該シート取付部材に取り付けた柄を回転させてこのシート取付部材を上下反転させることにより、上記払拭シートの上下両面を清掃に使用するようにしたモップが開示されている。
【０００４】
しかし、このモップの場合には、丸棒をクランク形に曲げたような柄を任意の回転位置で固定できるようにするために、例えば、柄のシート取付部材に対する連結部分をナットで外側から締め付けたり緩めたりするような固定機構が用いられており、柄を固定するための構成が複雑である。
【特許文献１】特開２００３−２６５３９１号公報
【特許文献２】特開平８−８９４６５号公報
【発明の開示】
【発明が解決しようとする課題】
【０００５】
そこで本発明の目的は、拭布の両面を清掃に使用することができ、かつ、該拭布の両面を使い分ける際のヘッドの反転操作が容易であると共に、該ヘッドを必要な向きに係止させるための係止機構が簡単であるハンディモップを提供することにある。
【課題を解決するための手段】
【０００６】
上記課題を解決するため、本発明によれば、両面が塵埃拭取用の払拭面である拭布と、該拭布内部の取付孔内に先端のヘッドを差し込むことによって該拭布を装着するように構成されたモップ本体とからなるハンディモップが提供される。上記モップ本体は、握持用の把手と、基端の連結部が該把手先端の取付部に前後方向の軸線の回りで回転自在なるように連結された上記ヘッドとにより形成され、上記ヘッドの連結部には、上記軸線を挟んで相反する位置に２つの係止弾片が設けられると共に、各係止弾片にそれぞれ係止用の突子が形成され、また、上記把手先端の取付部には、上記軸線を挟んで相反する位置に上記突子が係合する２つの係止孔が形成されていて、これらの突子と係止孔との弾力的な係合によって上記ヘッドが上下反転した２つの回転位置で把手に係止可能である。
【０００７】
本発明においては、上記把手における取付部の前端面が横長の平面に形成され、この前端面の左右両端部に上記係止孔が形成されており、また、上記ヘッドの連結部は、横幅が上記把手前端面の横幅より短く形成されていて、該連結部の左右両側からは、該連結部よりも薄肉且つ細幅の平板状をした上記係止弾片が上記前端面に沿うように延出し、該前端面の端部の上記係止孔の位置まで延びていることが望ましい。
【０００８】
本発明において好ましくは、上記ヘッドが、二股状に分岐して前方に延出する左右２つの細長くかつ弾力性のある分岐アームを有することである。
この場合、上記分岐アームが上下面方向に波付けされることにより、拭布の取付孔からの抜け出し抵抗が高められていることが望ましい。
また、上記分岐アームは、板面が上下方向を向く細幅の板状をなしていて、各分岐アームの周縁に上下両面側に突出する縁枠が形成されていても良い。
あるいは、上記分岐アームが、先端側に向けて次第に幅狭をなすように形成されると共に、ヘッド全体が基端側から先端側に向けて次第に幅狭をなすように形成されていても構わない。
さらには、上記分岐アームの上下両面に、拭布の取付孔からの抜け出し抵抗を高めるための突起が形成されていても良い。
【発明の効果】
【０００９】
本発明によれば、モップ本体のヘッドを回転させて上下反転させるだけで拭布の両面を清掃に使用することができ、その際、上記ヘッドを単に軸線の回りに回転させるだけで良く、その他の操作を必要としないので、該ヘッドの反転操作が容易である。
また、上記ヘッドの連結部に、反転のための回転中心軸線を挟んで相反する位置に２つの係止弾片を設けると共に、把手先端の取付部に２つの係止孔を形成し、上記ヘッドを上下反転させた際に２つの係止弾片の突子が２つの係止孔に弾力的に係合することによって該ヘッドがそれら２つの位置に係止するようにしたので、該ヘッドを係止させるための機構が非常に簡単で、それぞれの位置での係止も確実に行われ、従来品のようにナットを緩めたり締め付けたりする操作を一切必要としない。
【発明を実施するための最良の形態】
【００１０】
図１〜図３は本発明に係るハンディモップの好ましい一実施形態を示すもので、このハンディモップは、塵埃を拭き取るための拭布１と、この拭布１を交換可能に取り付けるためのモップ本体２とからなっている。
【００１１】
上記拭布１は、不織布からなる長方形状の布部材１０を長手方向の中央位置で２つに折り重ね、上下に重合する布部分１０ａ，１０ａを該拭布１の長手方向に延びる３本の接着ライン１１に沿って縫着や溶着等の手段で相互に結合、一体化したもので、その平面視形状は角部の丸い略長方形をなし、該拭布１の上下両面が塵埃拭取用の払拭面１ａ，１ｂとなっている。該拭布１の内部には、上記３本の接着ライン１１によってそれらの間を該拭布１の長手方向に延びる２つの取付孔１２，１２が区画、形成されている。これらの取付孔１２は、拭布１の長手方向の一端に開口し、この開口を通じて両取付孔１２，１２内にモップ本体２のヘッド２１に形成された２つの分岐アーム３１，３１を挿入することにより、該拭布１を上記モップ本体２に装着するものである。
なお、上記拭布１は、別々に形成された２枚の布部材を上下に重ね合わせ、これらの布部材を相互に結合することによっても形成することができる。
【００１２】
上記布部材１０は、１枚の不織布で形成しても良いが、図示したように、複数の不織布１０Ａ，１０Ｂを重合して形成することもできる。このように複数の不織布を使用する場合は、繊維密度や繊維の絡合形態あるいは厚さ等が異なる不織布を併用することにより、拭布１に適度の柔軟性やボリューム感を持たせることができる。
【００１３】
上記モップ本体２は、図４〜図６に示すように、合成樹脂製の握持用把手２０と、拭布１を装着するための合成樹脂製の上記ヘッド２１とにより形成されている。上記把手２０は、先端側がやや下向きに屈曲した形に形成されていて、その先端に横長のやや扁平な形をした取付部２２が形成され、この取付部２２に上記ヘッド２１の基端の連結部２３が、図７及び図８に示すように、枢軸２４によって前後方向（ヘッドの長手方向）の軸線Ｌの回りに回転自在なるように連結されている。この枢軸２４は、上記連結部２３の後端面中央部から上記軸線Ｌに沿って延出し、把手２０の取付部２２に形成された支持孔２５内に回転自在に挿入されている。また、この枢軸２４の端部は、軸線方向のスリット２４ｂによって複数の係止部片２４ａに分割され、これらの係止部片２４ａが上記支持孔２５の孔縁に弾力的に係止している。
【００１４】
図中２６は、上記枢軸２４の内部に取り付けられたねじであって、上記係止部片２４ａの支持孔２５に対する係止力を調整することによってヘッドの回転操作力を調節すると同時に、上記係止部片２４ａの内側への変形を規制することで枢軸２４が支持孔２５から抜け出すのを防止するためのものである。
【００１５】
上記把手２０の取付部２２の前端面２２ａは横長の平面をなし、この前端面２２ａに上記ヘッド２１の連結部２３の後端面が近接して対面している。この連結部２３の横方向長さ（横幅）は、上記取付部２２の横方向長さ（横幅）より短く形成され、該連結部２３の左右両側の位置からは、該連結部２３よりも薄肉かつ細幅の平板状をした２つの係止弾片２７，２７が、上記前端面２２ａに近接した位置を該前端面２２ａに沿って互いに相反する方向に延出し、該前端面２２ａの左右両端部寄りの位置まで延びている。従って、ヘッド２１の上記連結部２３と２つの係止弾片２７，２７とを加えた全体の横幅が、把手２０における上記取付部２２の前端面２２ａの横幅とほぼ等しいことになる。
【００１６】
上記２つの係止弾片２７，２７の先端部には、半球状をした係止用の突子２７ａ，２７ａが上記前端面２２ａ側に向けて突出するように形成され、これに対して該前端面２２ａの左右両端部寄りの位置には、これらの突子２７ａ，２７ａが弾力的に係合する２つの係止孔２８，２８が形成されている。これら２つの係止弾片２７，２７及び突子２７ａ，２７ａと、２つの係止孔２８，２８とは、それぞれ、上記軸線Ｌを挟んで相互に相反する位置に対称に配設されている。
【００１７】
従って、図１０に中間の回転状態を示すように上記ヘッド２１を軸線Ｌの回りに回転させると、該ヘッド２１の向きが上下反転した２つの回転位置において、それぞれ、上記２つの係止弾片２７，２７の突子２７ａ，２７ａが２つの係止孔２８，２８に弾力的に係合し、１８０度向きが異なるこれら２つの回転位置で該ヘッド２１が把手２０に係止することになる。
【００１８】
上記ヘッド２１は、上記連結部２３と、この連結部２３から延出して上記把手２０の取付部２２とほぼ同等の横幅を有するように広がる基部３０と、この基部３０から二股状に分岐して前方に延出する細長くかつ弾力性のある左右２つの分岐アーム３１，３１とを有している。これらの分岐アーム３１，３１は、板面が上下方向を向く細幅の板状をなすもので、これらの板状をした２つの分岐アーム３１，３１と上記基部３０とにより、ヘッド２１全体が、左右に幅広で中間に長手方向の溝２１ａを備えたプレートのような平面視形状を有している。上記各分岐アーム３１，３１は、先端側に向けて次第に幅狭かつ薄肉になると共に、先端部３１ａが丸い円弧状をなすように形成されており、これに伴ってヘッド２１全体の横幅も、基部３０側から先端側に向けて次第に幅狭をなすように形成されている。また、各分岐アーム３１，３１及び基部３０の周縁には、そのほぼ全周にわたり、上下両面方向に突出する縁枠３２が形成されている。
ヘッドをこのような形に形成することにより、取付孔へ挿入する際の初期挿入を容易にすることができる。
【００１９】
さらに、上記各分岐アーム３１は、上下両面方向に波付けされることにより、上記拭布１の取付孔１２に対する挿入抵抗が高められている。これは、取付孔１２からの抜け出しに対する抵抗（抜け出し抵抗）が高められていることと同じことである。この波付けは、図６から分かるように、分岐アーム３１の上下両面に山３３ａと谷３３ｂとからなる波形の凹凸を形成することによって行われるが、その波形は、正弦波のような滑らかな弧状の波形であっても、矩形波や三角波の角を丸めたような波形であっても良い。
【００２０】
上記波形における山３３ａの高さ及びピッチは、上記分岐アーム３１を拭布１の取付孔１２内に挿入することができかつ抜け出し抵抗を高めることができる範囲内で適宜設定すれば良く、例えば山３３ａの高さについては、分岐アーム３１の実際の厚さ（縁枠３２の高さ）ｔに対し、波付けにより増大した見掛けの厚さ（縁枠３２の位置での上下の山の頂上間の間隔）Ｔが、約１．２〜１．５倍程度となるように設定するのが一般的である。しかし、上記拭布１及びヘッド２１の形態や規模等によってこの数値の最適値が相違することはあり得る。
【００２１】
かくして分岐アーム３１を上下面方向に波付けすることにより、該分岐アーム３１を拭布１の取付孔１２内へ挿入したとき、波の山３３ａの部分が該取付孔１２の上下両孔面に圧接し、摩擦力によって該孔面に係止するため、抜けにくくなる。
【００２２】
また、上記２つの分岐アーム３１，３１の上下両面には、拭布１の取付孔１２に対するアームの抜け出し抵抗をより高めるための突起３４がそれぞれ形成されている。この突起３４は、分岐アーム３１の前後方向に細長く延びる円弧状をした突起であって、該分岐アーム３１の基端部寄りの上下相対する位置に、円弧を上又は下に凸をなすように向けて配設され、分岐アーム３１を取付孔１２内へ挿入したとき、該取付孔１２の上下両孔面に圧接するものである。
【００２３】
上記構成を有するハンディモップは、拭布１の内部に形成された２つの取付孔１２，１２内に、モップ本体２のヘッド２１に形成された２つの分岐アーム３１，３１を挿入することにより、図１に示すように拭布１をモップ本体２に装着し、この拭布１の一方の払拭面１ａで床や家具などの清掃対象に付着した塵埃を拭き取る。このとき、上記モップ本体２においては、ヘッド２１の連結部２３に形成した２つの係止弾片２７，２７の突子２７ａ，２７ａが、把手２０先端の取付部２２に形成した２つの係止孔２８，２８に弾力的に係止することにより、該ヘッド２１が、ヘッド面を上下方向に向けた状態に保持されている。
【００２４】
清掃時の払拭抵抗等によって上記拭布１にヘッド２１から脱落する方向の力が作用しても、波付けされた上記分岐アーム３１，３１が取付孔１２，１２の上下両孔面に強く圧接することによって該取付孔１２，１２からの抜け出し抵抗が高められているため、該拭布１がヘッド２１から抜け落ちることはない。このときの抜け出し抵抗は、２つの分岐アーム３１，３１にそれぞれ上記突起３４を形成することによってさらに高められている。
【００２５】
拭布１の一方の払拭面１ａが汚れて清掃機能が低下すると、上記ヘッド２１を軸線Ｌの回りに１８０度回転させることによって拭布１を上下反転させ、該拭布１の反対側の払拭面１ｂを使用して清掃する。このとき、上記２つの係止弾片２７，２７も軸線Ｌ回りに１８０回動して互いの位置が左右入れ代わり、新たな位置でそれぞれの突子２７ａ，２７ａが係止孔２８，２８に係止することにより、上記ヘッド２１が上下反転した位置に自動的に固定されることになる。
従って、上記ヘッド２１を単に軸線Ｌの回りに１８０度回転させるだけで良く、従来品のように固定用のナットを緩めたり締め付けたりするといったような操作を一切必要としないから、該ヘッド２１の反転操作が容易である。
【図面の簡単な説明】
【００２６】
【図１】本発明に係るハンディモップの好ましい一実施形態を示す斜視図である。
【図２】図１の平面図である。
【図３】図１の断面図である。
【図４】モップ本体の斜視図である。
【図５】モップ本体の平面図である。
【図６】モップ本体の側面図である。
【図７】把手とヘッドとを分離した状態の要部を示す部分拡大断面図である。
【図８】図５におけるＡ−Ａ線での断面図である。
【図９】図５におけるＢ−Ｂ線での断面図である。
【図１０】ヘッドを回転させる途中の状態を示すモップ本体の斜視図である。
【符号の説明】
【００２７】
Ｌ    軸線
１    拭布
２    モップ本体
１２    取付孔
２０    把手
２１    ヘッド
２２    取付部
２２ａ    前端面
２３    連結部
２７    係止部片
２７ａ    突子
２８    係止孔
３１    分岐アーム
３２    縁枠
３４    突起
【図１】
2007044088.tif 000003
【図２】
2007044088.tif 000004
【図３】
2007044088.tif 000005
【図４】
2007044088.tif 000006
【図５】
2007044088.tif 000007
【図６】
2007044088.tif 000008
【図７】
2007044088.tif 000009
【図８】
2007044088.tif 000010
【図９】
2007044088.tif 000011
【図１０】
2007044088.tif 000012